(57)【要約】【課題】  記録媒体に貼付される保護シールの貼付不良を解消し得る画像形成装置、後処理装置、画像形成システム及びプログラムを提供することである。【解決手段】  用紙を格納する給紙トレイと、給紙トレイ毎に格納された用紙の用紙情報の設定を受け付ける操作表示部１１４と、操作表示部１１４により受け付けされた用紙情報に基づいて、給紙トレイから搬送される用紙に空けられるファイル用の孔を補強する保護シールを貼り付ける貼付時間を設定し、設定した当該貼付時間を出力させる本体制御部１１０と、を備える画像形成装置１０。【選択図】図１
2008001439.tif 000002
【特許請求の範囲】
【請求項１】
記録媒体を格納する給紙トレイと、
前記給紙トレイ毎に格納された前記記録媒体に関する情報の設定を受け付ける情報設定手段と、
前記情報設定手段により受け付けされた前記記録媒体に関する情報に基づいて、前記給紙トレイから搬送される前記記録媒体に空けられるファイル用の孔を補強する補強部材を貼り付ける貼付時間を設定して出力する制御手段と、
を備えること、
を特徴とする画像形成装置。
【請求項２】
前記記録媒体に関する情報は、前記記録媒体の表面粗さを示す情報を含み、
前記制御手段は、
前記記録媒体の表面粗さを示す情報に基づいて、前記給紙トレイから搬送される前記記録媒体に空けられるファイル用の孔を補強する補強部材を貼り付ける貼付時間を設定すること、
を特徴とする請求項１記載の画像形成装置。
【請求項３】
前記記録媒体に関する情報は、前記記録媒体の斤量を示す情報を含み、
前記制御手段は、
前記記録媒体の斤量を示す情報に基づいて、前記給紙トレイから搬送される前記記録媒体に空けられるファイル用の孔を補強する補強部材を貼り付ける貼付時間を設定すること、
を特徴とする請求項１又は２記載の画像形成装置。
【請求項４】
前記貼付時間は、前記記録媒体に補強部材が貼付される場合において前記記録媒体の搬送動作が一次的に停止される一次停止時間を含み、
前記制御手段は、
前記記録媒体に関する情報に基づいて、前記一次停止時間を設定すること、
を特徴とする請求項１から３のいずれか一項に記載の画像形成装置。
【請求項５】
前記一次停止時間は、前記記録媒体に補強部材を押圧させる押圧時間を含み、
前記制御手段は、
前記記録媒体に関する情報に基づいて、前記押圧時間を設定すること、
を特徴とする請求項４記載の画像形成装置。
【請求項６】
記録媒体を格納する給紙トレイから搬送される前記記録媒体に関する情報を取得する情報取得手段と、
前記情報取得手段により取得された前記記録媒体に関する情報に基づいて、前記給紙トレイから搬送される前記記録媒体に空けられるファイル用の孔を補強する補強部材を貼り付ける貼付時間を設定する制御手段と、
を備えること、
を特徴とする後処理装置。
【請求項７】
記録媒体を格納する給紙トレイ、
前記給紙トレイ毎に格納された前記記録媒体に関する情報の設定を受け付ける情報設定手段、
前記情報設定手段により受け付けされた前記記録媒体に関する情報に基づいて、前記給紙トレイから搬送される前記記録媒体に空けられるファイル用の孔を補強する補強部材を貼り付ける貼付時間を設定して出力する制御手段、
を備える画像形成装置と、
前記記録媒体毎にファイル用の孔を空ける穿孔手段及び当該孔を補強する補強部材を前記記録媒体に押圧させて貼り付ける補強手段を有する穿孔ユニットを備え、前記画像形成装置から出力される貼付時間に基づいて前記穿孔ユニットを駆動させる後処理装置と、
を備えること、
を特徴とするとする画像形成システム。
【請求項８】
前記記録媒体に関する情報は、前記記録媒体の表面粗さを示す情報を含み、
前記制御手段は、
前記記録媒体の表面粗さを示す情報に基づいて、前記給紙トレイから搬送される前記記録媒体に空けられるファイル用の孔を補強する補強部材を貼り付ける貼付時間を設定すること、
を特徴とする請求項７記載の画像形成システム。
【請求項９】
前記記録媒体に関する情報は、前記記録媒体の斤量を示す情報を含み、
前記制御手段は、
前記記録媒体の斤量を示す情報に基づいて、前記給紙トレイから搬送される前記記録媒体に空けられるファイル用の孔を補強する補強部材を貼り付ける貼付時間を設定すること、
を特徴とする請求項７又は８記載の画像形成システム。
【請求項１０】
前記貼付時間は、前記記録媒体に補強部材が貼付される場合において前記記録媒体の搬送動作が一次的に停止される一次停止時間を含み、
前記制御手段は、
前記記録媒体に関する情報に基づいて、前記一次停止時間を設定すること、
を特徴とする請求項７から９のいずれか一項に記載の画像形成システム。
【請求項１１】
前記一次停止時間は、前記記録媒体に補強部材を押圧させる押圧時間を含み、
前記制御手段は、
前記記録媒体に関する情報に基づいて、前記押圧時間を設定すること、
を特徴とする請求項１０記載の画像形成システム。
【請求項１２】
コンピュータを、
記録媒体を格納する給紙トレイ毎に格納された前記記録媒体に関する情報の設定を受け付ける情報設定手段、
前記情報設定手段により受け付けされた前記記録媒体に関する情報に基づいて、前記給紙トレイから搬送される前記記録媒体に空けられるファイル用の孔を補強する補強部材を貼り付ける貼付時間を設定して出力する制御手段、
として機能させるためのプログラム。
【請求項１３】
前記記録媒体に関する情報は、前記記録媒体の表面粗さを示す情報を含み、
前記制御手段は、
前記記録媒体の表面粗さを示す情報に基づいて、前記給紙トレイから搬送される前記記録媒体に空けられるファイル用の孔を補強する補強部材を貼り付ける貼付時間を設定すること、
を特徴とする請求項１２記載のプログラム。
【請求項１４】
前記記録媒体に関する情報は、前記記録媒体の斤量を示す情報を含み、
前記制御手段は、
前記記録媒体の斤量を示す情報に基づいて、前記給紙トレイから搬送される前記記録媒体に空けられるファイル用の孔を補強する補強部材を貼り付ける貼付時間を設定すること、
を特徴とする請求項１２又は１３記載のプログラム。
【請求項１５】
前記貼付時間は、前記記録媒体に補強部材が貼付される場合において前記記録媒体の搬送動作が一次的に停止される一次停止時間を含み、
前記制御手段は、
前記記録媒体に関する情報に基づいて、前記一次停止時間を設定すること、
を特徴とする請求項１２から１４のいずれか一項に記載のプログラム。
【請求項１６】
前記一次停止時間は、前記記録媒体に補強部材を押圧させる押圧時間を含み、
前記制御手段は、
前記記録媒体に関する情報に基づいて、前記押圧時間を設定すること、
を特徴とする請求項１５記載のプログラム。
【発明の詳細な説明】
【技術分野】
【０００１】
本発明は、記録媒体を穿孔させる画像形成装置、後処理装置、画像形成システム及びプログラムに関する。
【背景技術】
【０００２】
近年、原稿画像を記録媒体上に形成する画像形成装置と、原稿画像が形成された記録媒体に対して、ファイル用の孔を空けるパンチ処理、ステイプル留めを行うステイプル処理及び折り処理等の後処理を施す後処理装置とを備えた画像形成システムが提供されている。
【０００３】
ファイル用の孔が空けられた記録媒体は、紐又はバインダ等で束ねられてファイルされて使用されることが多いが、この孔の部分は破れやすくいため、孔の部分を保護又は補強する装置が開発されている。
【０００４】
例えば、記録媒体のファイル用の孔を保護する多数の孔保護シールが貼り付けられたシール台紙と記録媒体とを挟んで案内するシール貼り付け手段を有する孔保護シール貼り付け装置と、ファイル用の孔を空ける穿孔手段を有するシール穿孔手段と、を備えた孔保護シールを記録媒体に貼り付ける孔保護シール貼り付けユニットを備えた画像形成装置が開示されている（特許文献１参照）。
【０００５】
押圧部材と用紙搬送面との間に用紙とシール部材を順次供給し、押圧部材でシール部材を押圧して、押圧部材の押圧形状にシール部材を切断し、その切断片を用紙に貼り付けると同時に、パンチピンで用紙と切断片に孔を空け、切断片を用紙の孔の保護シールとする用紙穿孔ユニットが開示されている（特許文献２参照）。
【０００６】
また、画像が形成された記録媒体が穿孔されるパンチ孔の部分又はステイプル留めされた部分を含む所定の領域を塗りつぶす追加画像を白色現像剤又は透明現像剤で記録媒体に形成する画像形成装置が開示されている（特許文献３参照）。
【特許文献１】特開２０００−３１８３６６号公報
【特許文献２】特開２００５−２２５６０８号公報
【特許文献３】特開２００５−２３４３９５号公報
【発明の開示】
【発明が解決しようとする課題】
【０００７】
しかしながら、上述した様な装置では、予め設定された記録媒体に適した押圧部材のストローク及び押圧時間に設定されているため、この記録媒体よりも斤量が小さい（薄い）記録媒体においては、押圧部材のストローク不足により十分な応力を与えられず軽圧着な状態となる。また、記録媒体の保護シールが接着される面の状態に拘わらず、予め設定された記録媒体に適した押圧部材のストローク及び押圧時間に設定されているため、この記録媒体の被着面よりも粗い被着面である記録媒体においては、保護シールの接着面と記録媒体の被着面とが接触する接触面積が小さくなる。
【０００８】
従って、記録媒体の種類（斤量や被着面の状態）に拘わらず、保護シールを貼り付けるための押圧部材の動作（押圧部材のストローク及び押圧時間）が固定であるため、記録媒体の種類によっては、上述した様な保護シールの貼付不良が生じ、剥がれやすくなってしまうという問題がある。
【０００９】
そこで本発明の課題としては、記録媒体に貼付される補強部材の貼付不良を解消し得る画像形成装置、後処理装置、画像形成システム及びプログラムを提供することである。
【課題を解決するための手段】
【００１０】
請求項１に記載の発明は、記録媒体を格納する給紙トレイと、前記給紙トレイ毎に格納された前記記録媒体に関する情報の設定を受け付ける情報設定手段と、前記情報設定手段により受け付けされた前記記録媒体に関する情報に基づいて、前記給紙トレイから搬送される前記記録媒体に空けられるファイル用の孔を補強する補強部材を貼り付ける貼付時間を設定して出力する制御手段と、を備える画像形成装置であること、を特徴としている。
更に、コンピュータに対して、上述した請求項１に記載の発明に示した主要手段を機能させるためのプログラムを提供する（請求項１２に記載の発明）。
【００１１】
請求項２に記載の発明は、請求項１記載の画像形成装置において、前記記録媒体に関する情報は、前記記録媒体の表面粗さを示す情報を含み、前記制御手段は、前記記録媒体の表面粗さを示す情報に基づいて、前記給紙トレイから搬送される前記記録媒体に空けられるファイル用の孔を補強する補強部材を貼り付ける貼付時間を設定すること、を特徴としている。
更に、コンピュータに対して、上述した請求項２に記載の発明に示した主要手段を機能させるためのプログラムを提供する（請求項１３に記載の発明）。
【００１２】
請求項３に記載の発明は、請求項１又は２記載の画像形成装置において、前記記録媒体に関する情報は、前記記録媒体の斤量を示す情報を含み、前記制御手段は、前記記録媒体の斤量を示す情報に基づいて、前記給紙トレイから搬送される前記記録媒体に空けられるファイル用の孔を補強する補強部材を貼り付ける貼付時間を設定すること、を特徴としている。
更に、コンピュータに対して、上述した請求項３に記載の発明に示した主要手段を機能させるためのプログラムを提供する（請求項１４に記載の発明）。
【００１３】
請求項４に記載の発明は、請求項１から３のいずれか一項に記載の画像形成装置において、前記貼付時間は、前記記録媒体に補強部材が貼付される場合において前記記録媒体の搬送動作が一次的に停止される一次停止時間を含み、前記制御手段は、前記記録媒体に関する情報に基づいて、前記一次停止時間を設定すること、を特徴としている。
更に、コンピュータに対して、上述した請求項４に記載の発明に示した主要手段を機能させるためのプログラムを提供する（請求項１５に記載の発明）。
【００１４】
請求項５に記載の発明は、請求項４記載の画像形成装置において、前記一次停止時間は、前記記録媒体に補強部材を押圧させる押圧時間を含み、前記制御手段は、前記記録媒体に関する情報に基づいて、前記押圧時間を設定すること、を特徴としている。
更に、コンピュータに対して、上述した請求項５に記載の発明に示した主要手段を機能させるためのプログラムを提供する（請求項１６に記載の発明）。
【００１５】
請求項６に記載の発明は、記録媒体を格納する給紙トレイから搬送される前記記録媒体に関する情報を取得する情報取得手段と、前記情報取得手段により取得された前記記録媒体に関する情報に基づいて、前記給紙トレイから搬送される前記記録媒体に空けられるファイル用の孔を補強する補強部材を貼り付ける貼付時間を設定する制御手段と、を備える後処理装置であること、を特徴としている。
【００１６】
請求項７に記載の発明は、記録媒体を格納する給紙トレイ、前記給紙トレイ毎に格納された前記記録媒体に関する情報の設定を受け付ける情報設定手段、前記情報設定手段により受け付けされた前記記録媒体に関する情報に基づいて、前記給紙トレイから搬送される前記記録媒体に空けられるファイル用の孔を補強する補強部材を貼り付ける貼付時間を設定して出力する制御手段、を備える画像形成装置と、前記記録媒体毎にファイル用の孔を空ける穿孔手段及び当該孔を補強する補強部材を前記記録媒体に押圧させて貼り付ける補強手段を有する穿孔ユニットを備え、前記画像形成装置から出力される貼付時間に基づいて前記穿孔ユニットを駆動させる後処理装置と、を備え画像形成システム。
することを特徴としている。
【００１７】
請求項８に記載の発明は、請求項７記載の画像形成システムにおいて、前記記録媒体に関する情報は、前記記録媒体の表面粗さを示す情報を含み、前記制御手段は、前記記録媒体の表面粗さを示す情報に基づいて、前記給紙トレイから搬送される前記記録媒体に空けられるファイル用の孔を補強する補強部材を貼り付ける貼付時間を設定すること、を特徴としている。
【００１８】
請求項９に記載の発明は、請求項７又は８記載の画像形成システムにおいて、前記記録媒体に関する情報は、前記記録媒体の斤量を示す情報を含み、前記制御手段は、前記記録媒体の斤量を示す情報に基づいて、前記給紙トレイから搬送される前記記録媒体に空けられるファイル用の孔を補強する補強部材を貼り付ける貼付時間を設定すること、を特徴としている。
【００１９】
請求項１０に記載の発明は、請求項７から９のいずれか一項に記載の画像形成システムにおいて、前記貼付時間は、前記記録媒体に補強部材が貼付される場合において前記記録媒体の搬送動作が一次的に停止される一次停止時間を含み、前記制御手段は、前記記録媒体に関する情報に基づいて、前記一次停止時間を設定すること、を特徴としている。
【００２０】
請求項１１に記載の発明は、請求項１０記載の画像形成システムにおいて、前記一次停止時間は、前記記録媒体に補強部材を押圧させる押圧時間を含み、前記制御手段は、前記記録媒体に関する情報に基づいて、前記押圧時間を設定すること、を特徴としている。
【発明の効果】
【００２１】
請求項１、６、７、１２に記載の発明によれば、記録媒体に関する情報に基づいて補強部材を貼り付ける貼付時間を設定することができるため、記録媒体毎に適切な貼付時間で補強部材を貼付することができる。従って、機構的な変更を行わずとも貼付時間を記録媒体毎に設定することにより、低コストで各記録媒体に応じた補強部材の貼付不良を解消することができる。
【００２２】
請求項２、８、１３に記載の発明によれば、請求項１、７、１２と同様の効果を得られるのは勿論のこと、各記録媒体の表面粗さを示す情報に基づいて、各記録媒体に対する貼付時間を設定することができるため、補強部材の接着面と記録媒体の被着面とが接触する接触面積が小さくとも十分な貼付時間を確保することができ、貼付不良を解消することができる。
【００２３】
請求項３、９、１４に記載の発明によれば、請求項１又は２、７又は８、１２又は１３と同様の効果を得られるのは勿論のこと、各記録媒体の斤量を示す情報に基づいて、各記録媒体に対する貼付時間を設定することができるため、補強部材を貼り付ける機構を変更せずとも各記録媒体に対して十分な応力を与えることができ、貼付不良を解消することができる。
【００２４】
請求項４、１０、１５に記載の発明によれば、請求項１から３、７から９、１２から１４のいずれか一項と同様の効果を得られるのは勿論のこと、記録媒体に関する情報に基づいて、一次停止時間を設定することができる。
【００２５】
請求項５、１１、１６に記載の発明によれば、請求項４、１０、１５と同様の効果を得られるのは勿論のこと、記録媒体に関する情報に基づいて、押圧時間を設定することができるため、記録媒体毎に適切な押圧時間で補強部材を貼付することができ、貼付不良を解消することができる。
【発明を実施するための最良の形態】
【００２６】
以下、図を参照して本発明の実施の形態を詳細に説明する。
まず、構成を説明する。
図１に、本実施の形態における画像形成システム１の概略構成図を示す。
図１に示すように、画像形成システム１は、画像形成装置１０及び後処理装置２０から構成される。
【００２７】
本実施の形態における画像形成装置１０は、原稿から画像を読み取り、読み取った画像を記録媒体（以下、用紙と称す。）に画像形成するコピー機能や、パーソナルコンピュータ等から画像データを受信し画像データに基づいて画像を用紙上に形成して出力するプリンタ機能等を備えており、後処理装置２０は、画像形成装置１０から出力された用紙に対して、用紙毎にファイル用の孔を空けるパンチ処理、パンチ処理により空けられた孔を補強する補強部材（以下、保護シールと称す。）を用紙に押圧して貼り付けるパッチ処理、折り処理、ステイプル処理、断裁処理等の各種後処理を実現する機能を備えている。
【００２８】
画像形成装置１０は、本体制御部１１０、記憶部１１１、計時部１１２、カウント部１１３、操作表示部１１４、画像読取部１１５、プリント部１１６、給紙部１１７、用紙搬送部１１８、用紙端部検出部１１９、通信部１２０等により構成され、各部は電気的に各種データを送受信可能な構成となっている。
【００２９】
本体制御部１１０は、ＣＰＵ（Central Processing Unit）等から構成され、記憶部１１１に格納されているプログラムやデータを記憶部１１１の一時記憶領域（図示略）に展開し、当該プログラムに基づいて画像形成システム１全体の制御を行うと共に、画像形成装置１０内の各部と相互に各種情報を送受信可能に接続されており、各部からの情報を受信し、受信した情報を判断して、判断結果である動作指示等の情報を各部に出力し、各部を統括的に制御している。
【００３０】
また、本体制御部１１０は、記憶部１１１等との協働により、操作表示部１１４により受け付けられた給紙部１１７が有する給紙トレイ毎に格納された用紙に関する情報（以下、用紙情報と称す。）に基づいて、給紙トレイから搬送される用紙に空けられるファイル用の孔を補強する保護シールを貼り付ける貼付時間に含まれる一次停止時間内の押圧時間を設定し、設定した当該押圧時間を通信部１２０を介して出力させる押圧時間設定処理を実行する制御手段としての機能を有する。
【００３１】
用紙情報とは、用紙の表面粗さを示す情報又は用紙の斤量を示す情報や用紙のサイズ含む。この用紙情報に基づいて、用紙の種類が分別される。用紙の種類は、表面粗さに基づいて普通紙、再生紙、わら半紙等に分別され、更に、斤量に基づいて厚紙、通常紙、薄紙等に個々に分別される。
【００３２】
用紙の表面粗さは、用紙の原料や、用紙表面の処理（塗料の塗布の有無や塗布される塗料の種類）等に起因するものである。この用紙の表面粗さと保護シールに塗布された接着剤の種類による接着面との関係が用紙に対する保護シールの剥がれやすさの要因の一つとなっている。一般的には、殆どの保護シールの接着面は平坦な面であるため、用紙の表面粗さが粗いほど、保護シールの接着面との接触面積を確保することができず、剥がれやすくなる。
【００３３】
貼付時間は、保護シールが貼付される用紙が後述する穿孔ユニット２２０の所定位置に搬送されたときから保護シールが貼付された用紙が後段の後処理部に搬送開始されるときまでに要する時間であり、用紙の搬送動作が一次的に停止される一次停止時間を含む。更に、この一次停止時間は、後述する押圧部材により用紙に保護シールを押圧させる押圧時間を含む。
【００３４】
記憶部１１１は、磁気的、光学的記憶媒体若しくは半導体メモリで構成される電気的に消去及び書き換え可能な不揮発性の記憶媒体で構成されている。記憶部１１１としては、例えば、ＲＯＭ（Read Only Memory）及びＲＡＭ（Random Access Memory）の組合せ、ＨＤＤ（Hard Disk Drive）、ＥＥＰＲＯＭ（Electrically Erasable and Programmable ROM）やフラッシュメモリなどが挙げられる。
【００３５】
記憶部１１１は、画像形成システム１の統括的な制御や画像形成装置１０の各部の制御を行うための各種プログラムやデータ、本実施の形態におけるパンチ処理／パッチ処理及び押圧時間設定処理を実行させるためのプログラムやデータ、各給紙トレイに格納された用紙の用紙情報を記憶していると共に、これら各種プログラムやデータを展開させる一時記憶領域を有している。
【００３６】
計時部１１２は、本体制御部１１０からの指示に従って、後処理装置２０へ出力する情報の出力タイミングや各部の制御タイミングを計ると共に、押圧時間設定処理により設定された押圧時間を計る。
【００３７】
カウント部１１３は、給紙部１１７から給紙された用紙の数や、画像形成装置１０の外部に排出された用紙の数、各用紙に空けられた孔の数や貼付された保護シールの数等を計数する。
【００３８】
操作表示部１１４は、テンキー、電源スイッチ等の各種操作キーを備え、これらのキーの操作信号を本体制御部１１０に出力する。また、操作表示部１１４は、ＬＣＤ（Liquid Crystal Display）画面及びタッチパネルを有し、本体制御部１１０から入力される表示信号の指示に従って、ＬＣＤ画面上に各種操作ボタンや、装置の状態表示、各機能の動作状況などの表示を行うと共に、電磁誘導式、磁気歪式、感圧式等の座標読み取り原理でタッチ指示された座標を検出し、検出した座標を操作信号として本体制御部１１０に出力する。
【００３９】
また、操作表示部１１４を構成するＬＣＤ画面上に表示される操作画面及びタッチパネル、各種操作キーにより、給紙部１１７の各給紙トレイに格納された用紙に対する用紙情報の入力指示や、後処理装置２０において実行される後処理の種類の指示等を受け付ける情報設定手段としての機能を有する。
【００４０】
画像読取部１１５は、ＡＤＦ（Auto Document Feeder）と称される自動原稿送り部と読取部とを備える。自動原稿送り部により、原稿トレイに積載される原稿は、最上部から順に原稿の読取個所であるコンタクトガラスに密着されながら通過され、コンタクトガラスを通過して読み取り完了後、排紙トレイに排出される。
【００４１】
また、光源、レンズ、コンタクトガラス、ＣＣＤ（Charge Coupled Device）等からなるスキャナを備えて構成された読取部により、原稿に照射した光の反射光が結像されて光電変換されることにより原稿の画像が読み取られ、読み取られた原稿画像（アナログ画像信号）が本体制御部１１０に出力され、本体制御部１１０においてＡ／Ｄ変換され各種画像処理が施された後、プリントデータとしてプリント部１１６に出力される。ここで、画像とは、図形や写真等のイメージデータに限らず、文字や記号等のテキストデータ等も含む意である。
【００４２】
プリント部１１６は、入力されたプリントデータに基づいて、電子写真方式の画像形成を行うものであり、画像形成部、クリーニング部と、定着装置等を備えて構成される。
【００４３】
画像形成部は、感光体ドラム、帯電装置、レーザ光を出力するレーザ出力部とレーザ光を主走査方向に走査させるポリゴンミラーとを有する露光装置、現像装置、転写装置を備えている。画像形成部により、帯電装置により帯電された感光体ドラムに露光装置でプリントデータに基づいてレーザ光が照射され静電潜像が形成され、そして、静電潜像が形成された感光体ドラムの表面に帯電したトナーが付着されて静電潜像（トナー像）が形成され、転写装置においてトナー像が用紙に転写される。
【００４４】
クリーニング部は、用紙にトナー像が転写された後、感光体ドラムの表面の残留電荷や残留トナー等を除去する。定着装置は、用紙に転写されたトナー像を加熱により定着させる。
【００４５】
給紙部１１７は、用紙の斤量や表面粗さ等の用紙情報に基づいて分別された用紙の種類毎に予め識別された用紙が収容された複数の給紙トレイ、ユーザのニーズに合わせて様々な種類の用紙をその都度積載可能である手差トレイを備え、給紙ローラによって給紙トレイ又は手差トレイに収容された用紙等が最上部から一枚ずつ用紙搬送部１１８に向けて搬送する。
【００４６】
用紙搬送部１１８は、給紙部１１７の給紙トレイ又は手差トレイから搬送された用紙を、複数の中間ローラ、レジストローラ、排紙ローラによって挟持して排紙トレイ上に排紙させ、用紙端部検出部１１９は、画像形成装置１０から排紙される用紙を検出する。
【００４７】
通信部１２０は、モデム、ＴＡ（Terminal Adapter）やルータ等によって構成され、後処理装置２０やネットワーク等により接続された外部機器との通信の制御を行う。
【００４８】
後処理装置２０は、後処理制御部２１０と、記憶部２１１と、通信部２１２と、複数の穿孔ユニット２２０、折りユニット（不図示）、ソートユニット（不図示）、ステイプルユニット（不図示）、断裁ユニット（不図示）等の各種後処理ユニットと、当該各種後処理ユニットへ用紙を搬送する搬送ローラ等の搬送手段とが設けられており、各種後処理ユニットは後処理制御部２１０により統括的に制御されている。
【００４９】
後処理制御部２１０は、ＣＰＵ等から構成され、記憶部２１１に格納されているプログラムやデータを記憶部２１１の一時記憶領域（図示略）に展開し、当該プログラムに基づいて、本体制御部１１０から通信部１２０及び通信部２１２を介して入力される後処理の指示信号に応じて用紙を搬送経路に沿って所定の後処理ユニットに搬送し、各部を駆動制御して用紙に所定の後処理を行わせ、所定の排紙トレイに排出する制御を行う。
【００５０】
記憶部２１１は、後処理装置２０の各部の制御を行うための各種プログラムやデータを記憶していると共に、これら各種プログラムやデータを展開させる一時記憶領域を有している。
【００５１】
通信部２１２は、モデム、ＴＡ（Terminal Adapter）やルータ等によって構成され、画像形成装置１０との通信の制御を行う。
【００５２】
穿孔ユニット２２０は、パンチ処理及びパッチ処理を行い、用紙毎にファイル用の孔を空ける穿孔部及び当該孔を補強する保護シールを用紙に押圧して貼り付ける補強部、保護シールを所定位置に搬送させる搬送部を有し、穿孔部を駆動させるパンチ駆動部２２１、補強部を駆動させるパッチ駆動部２２２、搬送部を駆動させる保護シール搬送駆動部２２３等を備えて構成している。
【００５３】
図２〜図５に、穿孔ユニット２２０の概略断面図を示す。
図２に示す穿孔ユニット２２０の概略断面図は、穿孔ユニット２２０が駆動される前（穿孔前）の初期状態を示している。
【００５４】
図２〜図５に示すように、穿孔ユニット２２０の穿孔部は、第１駆動モータＭ１、第１駆動モータＭ１の回転軸と接続された第１駆動軸２２０ａ、第１駆動軸２２０ａに接続されたクラッチ２２０ｂ、第１駆動軸２２０ａ及びクラッチ２２０ｂに接続可能な第１ギア２２０ｃ、第１駆動軸２２０ａに接続された第１カム（偏芯カム）２２０ｄ、第１カム２２０ｄの回転に伴って下降し用紙Ｐに孔を空ける穿孔部材２２０ｅ、第１カム２２０ｄの回転に伴って穿孔部材２２０ｅを反発力により上昇させる第１バネ２２０ｆ等から構成される。
【００５５】
穿孔ユニット２２０の補強部は、第１ギア２２０ｃと接続された第２ギア２２０ｇ、第２ギア２２０ｇの回転軸と接続された第２駆動軸２２０ｈ、第２駆動軸２２０ｈに接続された第２カム（偏芯カム）２２０ｉ、第２カム２２０ｉの回転に伴って下降し保護シール２２０ｊをカッタ２２０ｋにより切断させて用紙Ｐに押圧させて貼付させる押圧部材２２０ｌ、第２カム２２０ｉの回転に伴って押圧部材２２０ｌを反発力により上昇させる第２バネ２２０ｍ、保護シール２２０ｊが用紙Ｐに押圧される際に用紙を支持する用紙支持部材２２０ｎ等から構成される。
【００５６】
押圧部材２２０ｌは、中空柱の形状であり、中空内部に穿孔部材２２０ｅが移動可能に設けられ、予め設定された斤量及び表面粗さの用紙（例えば厚紙の普通紙）保護シールを貼付する際に必要な応力が得られるストロークに設定されていると共に、保護シールが貼付される用紙のうち最も斤量が小さい用紙に応力が与えられるストロークに設定されている。
【００５７】
穿孔ユニット２２０の搬送部は、穿孔ユニット２２０は、ロール状に巻かれ用紙と対向する面に接着剤が塗布された帯状の保護シール２２０ｊを、用紙上方に搬送させる複数の保護シール搬送ローラ２２０ｐ、穿孔部材２２０ｅにより一部が切断された保護シール２２０ｊを巻き取る巻取ローラ２２０ｑ、巻取ローラ２２０ｑを駆動させる第２駆動モータＭ２等から構成される。
【００５８】
図３に示す穿孔ユニット２２０の概略断面図は、穿孔ユニット２２０が駆動され、保護シール２２０ｊの一部が切断され用紙Ｐに貼付けられた状態を示している。
【００５９】
図３に示すように、まず第２駆動モータＭ２が駆動され、所定量の保護シール２２０ｊが巻取ローラ２２０ｑによって巻き取られ、所定量の保護シール２２０ｊが巻取ローラ２２０ｑに巻き取られた後、第２駆動モータＭ２が停止される。その後、第１駆動モータＭ１が駆動され、クラッチ２２０ｂにより第１ギア２２０ｃと第１駆動軸２２０ａが連結され、第２ギア２２０ｇが駆動されることに伴って第２カム２２０ｉが回転し、押圧部材２２０ｌが下降する。押圧部材２２０ｌの下降により保護シール２２０ｊの一部がカッタ２２０ｋにより切断され、切断された保護シール２２０ｊが用紙Ｐに設定された押圧時間の間、押圧され貼付される。また、第１駆動モータＭ１が駆動されるため、第１カム２２０ｄが回転され、第１カム２２０ｄの回転に伴って、穿孔部材２２０ｅが下降し始める。
【００６０】
図４に示す穿孔ユニット２２０の概略断面図は、穿孔ユニット２２０が駆動され、図３に示す保護シール２２０ｊが貼付された用紙Ｐが穿孔された状態を示している。
【００６１】
図４に示すように、第１駆動モータＭ１が駆動されることにより、第１カム２２０ｄが回転され、第１カム２２０ｄの回転に伴って、穿孔部材２２０ｅが下降し、保護シール２２０ｊが貼付された用紙Ｐが穿孔される。一方、第２カム２２０ｉの回転と第２バネ２２０ｍの反発力により押圧部材２２０ｌが上昇する。
【００６２】
図５に示す穿孔ユニット２２０の概略断面図は、穿孔ユニット２２０が駆動され、図４に示す保護シール２２０ｊが貼付され穿孔されることにより、用紙Ｐ上に孔Ｈを保護する保護シールＳが貼付された用紙Ｐが穿孔ユニット２２０後段の処理に搬送される状態を示している。
【００６３】
図５に示すように、第１駆動モータＭ１が駆動されることにより、第２カム２２０ｉの回転と第２バネ２２０ｍの反発力により押圧部材２２０ｌが上昇して初期状態の位置に戻ると共に、第１カム２２０ｄの回転と第１バネ２２０ｆの反発力により穿孔部材２２０ｅが上昇し、穿孔部材２２０ｅが初期状態の位置に戻ると第１駆動モータが停止される。また、用紙Ｐを搬送する搬送ローラが駆動され、用紙Ｐが穿孔ユニット２２０後段の処理に搬送される。
【００６４】
次に、本実施の形態の動作を説明する。
図６及び図７を参照して、本実施の形態におけるパンチ処理／パッチ処理動作を説明する。図６に、パンチ処理／パッチ処理動作のメインフローチャートを示し、図７に、押圧時間設定処理のフローチャートを示す。なお、図６及び図７に示すフローチャートは、本体制御部１１０により実行されるものである。
【００６５】
まず、本体制御部１１０は、画像形成装置１０から出力される用紙の斤量や表面粗さ等の用紙情報と当該用紙に対して設定された後処理の種類を示す情報とを含む動作指定情報を取得する（ステップＳ１）。
【００６６】
本体制御部１１０は、当該用紙に対して設定された後処理の種類を示す情報にパンチ処理が含まれているか否かを判別し（ステップＳ２）、パンチ処理が含まれていないと判別した場合（ステップＳ２；Ｎｏ）、本処理を終了させる。
【００６７】
本体制御部１１０は、当該用紙に対して設定された後処理の種類を示す情報にパンチ処理が含まれていると判別した場合（ステップＳ２；Ｙｅｓ）、当該用紙に対して設定された後処理の種類を示す情報にパッチ処理が含まれているか否かを判別する（ステップＳ３）。
【００６８】
本体制御部１１０は、当該用紙に対して設定された後処理の種類を示す情報にパッチ処理が含まれていないと判別した場合（ステップＳ３；Ｎｏ）、当該用紙に対して穿孔ユニット２２０を駆動させてパンチ処理を実行させ（ステップＳ４）、本処理を終了させる。
【００６９】
本体制御部１１０は、当該用紙に対して設定された後処理の種類を示す情報にパッチ処理が含まれていると判別した場合（ステップＳ３；Ｙｅｓ）、当該用紙に対して穿孔ユニット２２０を駆動させてパンチ処理及びパッチ処理を実行させ（ステップＳ４）、本処理を終了させる。
【００７０】
次に、図７を参照して、図６に示すステップＳ５においてパンチ処理及びパッチ処理が実行される際に実行される押圧時間設定処理について説明する。
【００７１】
なお、本実施の形態では、穿孔ユニット２２０において保護シールを貼付可能な用紙の種類として、普通紙、再生紙、わら半紙の場合を例として挙げ、穿孔ユニット２２０の押圧部材２２０ｌのストロークとして斤量が１０５[ｇ／ｍ２]以上（厚紙）の普通紙に適したストロークに固定されている場合において説明するが、これに限らない。
【００７２】
本体制御部１１０は、用紙の斤量や表面粗さ等の用紙情報を取得し（ステップＳ１１）、当該用紙の種類は普通紙か否かを判別する（ステップＳ１２）。
【００７３】
即ち、ステップＳ１２において、用紙の種類は表面粗さに基づいて分別されていることから、本実施の形態においては、普通紙を判別の基準とし、普通紙よりも表面が粗く保護シールが貼りつきにくいその他の用紙（再生紙又はわら半紙）と普通紙以上に表面が滑らかな用紙とに分別する例を挙げて説明する。しかし、これに限らず、貼付される保護シールに塗布された接着剤と表面粗さとの関係に基づいて表面粗さの判別の基準を設定することが好ましい。
【００７４】
本体制御部１１０は、普通紙であると判別した場合（ステップＳ１２；Ｙｅｓ）、当該用紙の斤量は８０[ｇ／ｍ２]未満であるか否か、即ち、薄紙であるか否かを判別する（ステップＳ１３）。
【００７５】
本体制御部１１０は、当該用紙の斤量は８０[ｇ／ｍ２]未満であると判別した場合（ステップＳ１３；Ｙｅｓ）、当該用紙に対する押圧時間を７０[ｍｓ]に設定し（ステップＳ１４）、ステップＳ２３に進む。
【００７６】
本体制御部１１０は、当該用紙の斤量は８０[ｇ／ｍ２]未満でないと判別した場合（ステップＳ１３；Ｎｏ）、当該用紙の斤量は８０[ｇ／ｍ２]以上１０５[ｇ／ｍ２]未満であるか否か、即ち、通常紙であるか否かを判別する（ステップＳ１５）。
【００７７】
本体制御部１１０は、当該用紙の斤量は８０[ｇ／ｍ２]以上１０５[ｇ／ｍ２]未満であると判別した場合（ステップＳ１５；Ｙｅｓ）、当該用紙に対する押圧時間を５０[ｍｓ]に設定し（ステップＳ１６）、ステップＳ２３に進む。
【００７８】
本体制御部１１０は、当該用紙の斤量は８０[ｇ／ｍ２]以上１０５[ｇ／ｍ２]未満でないと判別した場合（ステップＳ１５；Ｎｏ）、即ち、当該用紙の斤量は１０５[ｇ／ｍ２]以上である場合（厚紙である場合）、当該用紙に対する押圧時間を３０[ｍｓ]に設定し（ステップＳ１７）、ステップＳ２３に進む。
【００７９】
本体制御部１１０は、普通紙でないと判別した場合（ステップＳ１２；Ｎｏ）、当該用紙の斤量は８０[ｇ／ｍ２]未満であるか否か、即ち、薄紙であるか否かを判別する（ステップＳ１８）。
【００８０】
本体制御部１１０は、当該用紙の斤量は８０[ｇ／ｍ２]未満であると判別した場合（ステップＳ１８；Ｙｅｓ）、当該用紙に対する押圧時間を８０[ｍｓ]に設定し（ステップＳ１９）、ステップＳ２３に進む。
【００８１】
本体制御部１１０は、当該用紙の斤量は８０[ｇ／ｍ２]未満でないと判別した場合（ステップＳ１８；Ｎｏ）、当該用紙の斤量は８０[ｇ／ｍ２]以上１０５[ｇ／ｍ２]未満であるか否か、即ち、通常紙であるか否かを判別する（ステップＳ２０）。
【００８２】
本体制御部１１０は、当該用紙の斤量は８０[ｇ／ｍ２]以上１０５[ｇ／ｍ２]未満であると判別した場合（ステップＳ２０；Ｙｅｓ）、当該用紙に対する押圧時間を６０[ｍｓ]に設定し（ステップＳ２１）、ステップＳ２３に進む。
【００８３】
本体制御部１１０は、当該用紙の斤量は８０[ｇ／ｍ２]以上１０５[ｇ／ｍ２]未満でないと判別した場合（ステップＳ１５；Ｎｏ）、即ち、当該用紙の斤量は１０５[ｇ／ｍ２]以上である場合（厚紙である場合）、当該用紙に対する押圧時間を４０[ｍｓ]に設定し（ステップＳ２２）、ステップＳ２３に進む。
【００８４】
当該用紙に対する押圧時間が設定された後、設定された押圧時間に応じて保護シールを貼付するよう穿孔ユニット２２０が駆動され、パンチ処理及びパッチ処理が実行され（ステップＳ２３）、本処理を終了させる。
【００８５】
本実施の形態において、用紙が普通紙である場合、用紙の斤量が８０[ｇ／ｍ２]未満（薄紙）である場合には押圧時間を７０[ｍｓ]、８０[ｇ／ｍ２]以上１０５[ｇ／ｍ２]未満で（通常紙）ある場合には押圧時間を５０[ｍｓ]、１０５[ｇ／ｍ２]以上（厚紙）である場合には押圧時間を３０[ｍｓ]に設定する場合を例にして説明したが、これに限定されず、貼付不良が生じなければ、押圧部材２２０ｌのストロークが一定であることから、斤量が大きいほど押圧部材２２０ｌによる単位時間あたりの応力が大きくなるため、斤量が大きければ大きいほど押圧時間が短い関係、即ち、斤量と押圧時間が反比例関係であればよい。
【００８６】
また、用紙が普通紙でない場合（再生紙又はわら半紙である場合）、普通紙である場合よりも表面が粗いため、保護シールの接着面と十分な接触面積を確保することができないことから貼付不良が生じ、剥がれやすくなってしまうことから、用紙の斤量が８０[ｇ／ｍ２]未満（薄紙）である場合には押圧時間を８０[ｍｓ]、８０[ｇ／ｍ２]以上１０５[ｇ／ｍ２]未満（通常紙）である場合には押圧時間を６０[ｍｓ]、１０５[ｇ／ｍ２]以上（厚紙）である場合には押圧時間を４０[ｍｓ]に設定する場合を例にして説明したが、これに限定されず、用紙の斤量が同一であっても用紙の表面粗さが基準となる表面粗さ（ここでは、普通紙の表面粗さ）よりも高い場合には、押圧時間が長い関係であればよく、表面粗さの度合いと押圧時間とが比例関係であればよい。
【００８７】
以上のように本実施の形態によれば、各用紙の表面粗さを示す情報に基づいて、各用紙に対する押圧時間を設定することができるため、保護シールの接着面と用紙の被着面とが接触する接触面積が小さくとも十分な押圧時間を確保することができ、各用紙の斤量を示す情報に基づいて、各用紙に対する貼付時間を設定することができるため、穿孔ユニット（特に補強部）の機構を変更せずとも各用紙に対して十分な応力を与えることができる。
【００８８】
従って、用紙情報に基づいて保護シールを貼り付ける貼付時間に含まれる一次停止時間内の押圧時間を設定することができるため、用紙毎に適切な押圧時間で保護シールを貼付することができる。従って、穿孔ユニットの機構的な変更を行わずとも押圧時間を用紙毎に設定することにより、低コストで各用紙に応じた保護シールの貼付不良を解消することができる。
【００８９】
なお、本実施の形態において、画像形成装置１０の本体制御部１１０において実行する貼付時間の設定処理を、後処理装置２０の後処理制御部２１０において実効してもよい。即ち、画像形成装置１０の各種給紙トレイから搬送される用紙に関する情報を通信部２１２を介して取得する情報取得手段、取得された用紙に関する情報に基づいて、給紙トレイから搬送される用紙に空けられるファイル用の孔を補強する保護シールを貼り付ける貼付時間を設定する制御手段、としての機能を後処理制御部２１０が有してもよい。
【００９０】
また、本発明は、上記実施の形態の内容に限定されるものではなく、本発明の主旨を逸脱しない範囲で適宜変更可能である。
【図面の簡単な説明】
【００９１】
【図１】本実施の形態における画像形成システム１の概略構成図である。
【図２】穿孔ユニット２２０が駆動される前（穿孔前）の初期状態の穿孔ユニット２２０の概略断面図である。
【図３】穿孔ユニット２２０が駆動され、保護シール２２０ｊが切断され用紙Ｐに貼付けられた状態の穿孔ユニット２２０の概略断面図である。
【図４】図３に示す保護シール２２０ｊが貼付された用紙Ｐが穿孔された状態の穿孔ユニット２２０の概略断面図である。
【図５】図４に示す保護シール２２０ｊが貼付され穿孔された用紙Ｐが穿孔ユニット２２０後段の処理に搬送される状態の穿孔ユニット２２０の概略断面図である。
【図６】パンチ処理／パッチ処理動作のメインフローチャートである。
【図７】押圧時間設定処理のフローチャートである。
【符号の説明】
【００９２】
１  画像形成システム
１０  画像形成装置
２０  後処理装置
１１０  本体制御部
１１１  記憶部
１１２  計時部
１１３  カウント部
１１４  操作表示部
１１５  画像読取部
１１６  プリント部
１１７  給紙部
１１８  用紙搬送部
１１９  用紙端部検出部
１２０  通信部
２１０  後処理制御部
２１１  記憶部
２１２  通信部
２２０  穿孔ユニット
２２０ａ  第１駆動軸
２２０ｂ  クラッチ
２２０ｃ  第１ギア
２２０ｄ  第１カム
２２０ｅ  穿孔部材
２２０ｆ  第１バネ
２２０ｇ  第２ギア
２２０ｈ  第２駆動軸
２２０ｉ  第２カム
２２０ｊ、Ｓ  保護シール
２２０ｋ  カッタ
２２０ｌ  押圧部材
２２０ｍ  第２バネ
２２０ｎ  用紙支持部材
２２０ｐ  保護シール搬送ローラ
２２０ｑ  巻取ローラ
２２１  パンチ駆動部
２２２  パッチ駆動部
２２３  保護シール搬送駆動部
Ｍ１  第１駆動モータ
Ｍ２  第２駆動モータ
Ｐ  用紙
【図１】
2008001439.tif 000003
【図２】
2008001439.tif 000004
【図３】
2008001439.tif 000005
【図４】
2008001439.tif 000006
【図５】
2008001439.tif 000007
【図６】
2008001439.tif 000008
【図７】
2008001439.tif 000009